(57)【要約】【課題】包装袋について、密閉性を改善する。【解決手段】前面シート１１と背面シート１３とを接着し、上端部に開口１８を備える袋状としている。前面シート１１における包装袋の内側をなす面、及び背面シート１３における包装袋の内側をなす面は、仕切りシート２１，２２をそれぞれ備えている。仕切りシート２１は、両側縁が、包装袋の両側端において接着されており、上縁が前面シート１１と接着されている。仕切りシート２２は、両側縁が、包装袋の両側端において接着されており、上縁が背面シート１３と接着されている。開口１８を開閉自在とする開閉部３１，３２が、仕切りシート２１，２２の上縁と開口１８との間に設けられている。【選択図】図１
2017047955.tif 000002
【特許請求の範囲】
【請求項１】
前面シートと背面シートとが接着され、上端部が開口した袋状の包装袋であって、
前記前面シートにおける包装袋の内側をなす面、及び前記背面シートにおける包装袋の内側をなす面は、仕切りシートをそれぞれ備え、
前記前面シートに設けられる前記仕切りシートは、両側縁が、前記前面シート及び前記背面シートの両側端と接着して設けられ、上縁が、前記前面シートと接着して設けられ、
前記背面シートに設けられる前記仕切りシートは、両側縁が、前記前面シート及び前記背面シートの両側端と接着して設けられ、上縁が、前記背面シートと接着して設けられ、
前記開口を開閉自在とする開閉部が、前記上端部と前記仕切りシートの上縁との間に設けられる包装袋。
【請求項２】
前記前面シートは、当該前面シートを前記上端部よりも上側に延設した蓋部を備える
請求項１に記載の包装袋。
【請求項３】
前記背面シートにおける包装袋の外側をなす面は、前記上端部に沿って折り返した前記蓋部を接着する封止部を備える
請求項２に記載の包装袋。
【発明の詳細な説明】
【技術分野】
【０００１】
本発明は、シート材からなる包装袋に関する。
【背景技術】
【０００２】
従来、シート材からなり開口を備える袋状の包装袋において、開口から内容物を収納し、開口を封止することで内容物を包装する技術が知られている。たとえば、特許文献１には、包装した内容物の漏れを防ぐために、剥離の容易なシール、チャック、及びヒートシールによって複数の封止を行う包装袋が開示されている。
【先行技術文献】
【特許文献】
【０００３】
【特許文献１】特開２００６−２２４９８４号公報
【発明の概要】
【発明が解決しようとする課題】
【０００４】
ところで、外気温度の上昇や大気圧の低い高所への運搬等によって、包装袋内の空気が膨張して包装袋の内圧が相対的に高くなることがある。包装袋の内圧が高まることに伴い、開口を封止する部分には負荷がかかるようになる。このとき、特許文献１に示されるような包装袋では、開口を封止するチャックやヒートシールの強度を上回る負荷がかかると、包装袋の封止が解消されて密閉性が損なわれる虞がある。つまり、内容物が漏れ出る虞があった。ここで例えば、開口を封止する構成の強度を高めれば、包装袋の封止が解消される虞は軽減される。しかし、強度を高めるにつれて開封に要する力が増加してしまう。
【０００５】
本発明は、このような実情に鑑みてなされたものであり、その目的は、包装袋について密閉性を改善することにある。
【課題を解決するための手段】
【０００６】
上記課題を解決するための包装袋は、前面シートと背面シートとが接着され、上端部が開口した袋状の包装袋であって、前記前面シートにおける包装袋の内側をなす面、及び前記背面シートにおける包装袋の内側をなす面は、仕切りシートをそれぞれ備え、前記前面シートに設けられる前記仕切りシートは、両側縁が、前記前面シート及び前記背面シートの両側端と接着して設けられ、上縁が、前記前面シートと接着して設けられ、前記背面シートに設けられる前記仕切りシートは、両側縁が、前記前面シート及び前記背面シートの両側端と接着して設けられ、上縁が、前記背面シートと接着して設けられ、前記開口を開閉自在とする開閉部が、前記上端部と前記仕切りシートの上縁との間に設けられている。
【０００７】
上記構成では、仕切りシートの下縁は前面シートと背面シートに対して開放状態にある。つまり、前面シートと仕切りシートとの間には、包装袋の下側が開放された空間が形成されている。同様に、背面シートと仕切りシートとの間にも、包装袋の下側が開放された空間が形成されている。
【０００８】
上記構成によれば、包装袋の内圧が高くなり包装袋が膨張すると、前面シートに設けられた仕切りシートまたは背面シートに設けられた仕切りシート、或いは、前面シートに設けられた仕切りシート及び背面シートに設けられた仕切りシートが、上記空間の内側から圧力を受ける。そして、前面シートに設けられた仕切りシートと、背面シートに設けられた仕切りシートと、が互いに密着するようになる。このように仕切りシート同士が密着することによって開口は閉塞され、包装袋は封止される。さらに、包装袋の開口は、開閉部によっても封止することができる。したがって、包装袋の内圧が高くなったとしても開口が開かれることが抑制され、包装袋の密閉性を向上することができる。
【０００９】
上記包装袋の一例では、前記前面シートは、当該前面シートを前記上端部よりも上側に延設した蓋部を備える。
上記構成によれば、蓋部を上端部に沿って折り返すことによって、開口の蓋となすことができる。
【００１０】
上記包装袋では、前記背面シートにおける包装袋の外側をなす面は、前記上端部に沿って折り返した前記蓋部を接着する封止部を備えることが好ましい。
上記構成によれば、蓋部を接着することによって包装袋の密閉性を向上することができる。
【発明の効果】
【００１１】
本書に開示する包装袋によれば、包装袋の密閉性を改善することができる。
【図面の簡単な説明】
【００１２】
【図１】（ａ）は包装袋の一実施形態を背面シート方向から示す平面図、（ｂ）は同実施形態の包装袋の分解斜視図。
【図２】同実施形態の包装袋における、仕切りシートが設けられた前面シートを示す斜視図。
【図３】図１（ａ）における３−３線断面図であり、（ａ）は開口封止前、（ｂ）は開口封止後、（ｃ）は開口封止後であり包装袋の内圧が上昇した状態を示す。
【発明を実施するための形態】
【００１３】
本書に開示する包装袋の一実施形態について、図１〜図３を参照して説明する。図１（ａ）及び（ｂ）には、上下方向、左右方向を示す矢印を表示している。
図１（ａ）及び（ｂ）に示すように、前面シート１１と背面シート１３とは、長方形状に形成されている。前面シート１１と背面シート１３とは左右方向の長さが同じ長さに形成されている。前面シート１１は、背面シート１３よりも上下方向に長く形成されている。詳述すると、前面シート１１は、前面シート１１と背面シート１３との下端を揃えて重ね合わせると、背面シート１３よりも上方に延設された形状である。前面シート１１において当該上方に延設された部分は、蓋部１２をなす。前面シート１１と背面シート１３とは、左右の側端が左融着部１５及び右融着部１６において互いに融着され、下端が下融着部１７において互いに融着されている。左融着部１５、右融着部１６、下融着部１７における融着によって前面シート１１及び背面シート１３は袋状をなす。当該袋状の上端部は開口しており、包装袋の開口１８をなす。
【００１４】
背面シート１３には、蓋部１２を接着する封止部としての接着テープ１４が貼着されている。接着テープ１４は、蓋部１２を開口１８に沿って背面シート１３側へ折り返した際に、折り返された蓋部１２に対応する位置に貼着されている。接着テープ１４は、接着層と離型層とを有し、使用時には、その離型層が離型されて接着層が露出し、その接着層を介して蓋部１２と背面シート１３とが固着される。なお、離型層としては離型紙が一般的である。
【００１５】
開口１８を開閉自在とする開閉部としてのジッパー３１，３２が、前面シート１１と背面シート１３とに、左右方向全長に亘り設けられている。ジッパー３２は背面シート１３の上端に融着されている。ジッパー３１は前面シート１１において、背面シート１３に融着されているジッパー３２と対応する位置に融着されている。なお、ジッパー３１，３２は、帯状の樹脂製テープである。ジッパー３１は凸条に形成され、ジッパー３２は、ジッパー３１と嵌合する凹条に形成されている。ジッパー３１が凹条に形成され、ジッパー３２が凸条に形成されていてもよい。
【００１６】
前面シート１１と背面シート１３との間には、仕切りシート２１，２２が挟まれている。仕切りシート２１と仕切りシート２２は、同じ大きさの長方形状に形成されている。仕切りシート２１，２２の左右方向の長さは、前面シート１１及び背面シート１３の左右方向の長さと同じであり、上下方向の長さは、背面シート１３の上下方向の長さよりも短い。本実施形態では、仕切りシート２１，２２の上下方向の長さは、背面シート１３の上下方向の長さの約１／３に形成している。
【００１７】
仕切りシート２１は、ジッパー３１と所定の間隔をおいて前面シート１１に融着されている。仕切りシート２２は、背面シート１３に融着されている。仕切りシート２２の上縁は、前面シート１１に融着されている仕切りシート２１の上縁と重なるように位置決めされている。
【００１８】
図２を参照して、仕切りシート２１について説明する。仕切りシート２１の上縁は、上縁融着部２１ａにおいて融着されている。仕切りシート２１の左右の側縁は、左縁融着部２１ｂ、右縁融着部２１ｃにおいて融着されている。このように前面シート１１に融着された仕切りシート２１と前面シート１１との間には、仕切りシート２１の下縁が開放された空間である空間Ａが形成される。なお、図２は、説明の便宜上、背面シート１３が融着されていない前面シート１１を示すものであり、前面シート１１及び仕切りシート２１以外の包装袋を構成する部材は図示を省略している。背面シート１３が前面シート１１に融着されて袋状をなす包装袋では、左縁融着部２１ｂは左融着部１５において、背面シート１３及び仕切りシート２２とも融着されている。同様に、右縁融着部２１ｃは右融着部１６において、背面シート１３及び仕切りシート２２とも融着されている。
【００１９】
仕切りシート２２は、前面シート１１に融着されている仕切りシート２１と同様に、上縁及び左右の側縁が背面シート１３と融着されている。前面シート１１と仕切りシート２１との間に空間Ａが形成されるのと同様に、背面シート１３と仕切りシート２２との間にも空間が形成される。仕切りシート２２の左右の側縁は、左融着部１５と右融着部１６とによって、前面シート１１及び仕切りシート２１とも融着されている。
【００２０】
次に、本実施形態の作用について説明する。
図３（ａ）、（ｂ）に示すように、開口１８から内容物４０を収納する。内容物４０を収納した後、ジッパー３１、３２を互いに押圧して開口１８を封止する。さらに、蓋部１２を開口１８に沿って折り返す。折り返した蓋部１２は、接着テープ１４によって背面シート１３と接着される。
【００２１】
図３（ｃ）に示すように、外気温度の上昇や大気圧の低い高所への運搬等によって、開口１８を封止した包装袋内の空気が膨張して包装袋の内圧が相対的に高くなることがある。包装袋の内圧が高まり包装袋内の空気が膨張すると、包装袋全体が膨張する。こうした包装袋の膨張に伴い、前面シート１１と仕切りシート２１との間に形成される空間Ａが、その領域を大きくする。このように空間Ａが大きくなることによって、仕切りシート２１が仕切りシート２２と密着するようになる。そして、仕切りシート２１，２２が背面シート１３と密着するようになる。
【００２２】
なお、包装袋の膨張の態様によっては、背面シート１３と仕切りシート２２との間に形成される空間が大きくされることもある。この場合、仕切りシート２２が仕切りシート２１と密着するようになる。そして、仕切りシート２１，２２が前面シート１１と密着するようになる。
【００２３】
以上のように、包装袋の開口１８は封止される。開口１８が封止された包装袋の内圧が高まると、仕切りシート２１と仕切りシート２２とが密着する。
次に、本実施形態の効果を列挙する。
【００２４】
（１）包装袋の内圧の上昇に伴い仕切りシート２１と仕切りシート２２とが密着することによって、開口１８が閉塞され包装袋を密閉することができる。したがって、包装袋の内圧が高くなったとしても密閉状態を維持することができ、包装袋の密閉性を向上することができる。
【００２５】
なお、仕切りシート２１，２２が前面シート１１又は背面シート１３と密着しない場合であっても、仕切りシート２１と仕切りシート２２とが密着していれば、包装袋を密閉することができる。
【００２６】
（２）開閉自在な樹脂製のジッパー３１，３２を備えることによって、包装袋を容易に開閉することができる。
（３）仕切りシート２１の上縁融着部２１ａよりも開口１８側にジッパー３１，３２を備えるため、包装袋の内圧が高まることに伴う負荷は上縁融着部２１ａに作用する。すなわち、包装袋の内圧が高まったとしても、負荷がジッパー３１，３２に作用することが抑制される。また同様に、仕切りシート２２の上縁の融着部によっても、負荷がジッパー３１，３２に作用することが抑制される。包装袋の内圧が高くなったとしても開口１８が開かれることが抑制され、包装袋の密閉性を向上することができる。
【００２７】
（４）包装袋を構成するシートである前面シート１１と蓋部１２とは一体物として１つのシート材から構成されているため、包装袋の開口１８を封止する蓋部１２を簡易な構成にて設けることができる。
【００２８】
（５）接着テープ１４によって蓋部１２を背面シート１３に接着することができるため、包装袋の密閉性を向上することができる。
上記実施形態の構成は、次のように変更することも可能である。また、以下の変更例は適宜組み合わせて実施することも可能である。
【００２９】
・封止部としての接着テープ１４を背面シート１３に設けたが、接着テープ１４を蓋部１２に設けてもよい。接着テープ１４を蓋部１２及び背面シート１３に設けてもよい。また、接着層と離型層とを有する接着テープ１４以外の構成を封止部として採用してもよい。
【００３０】
・封止部としての接着テープ１４が設けられていなくてもよい。こうした構成であっても、上記（１）〜（４）の効果を奏することができる。
・蓋部１２を、前面シート１１と一体に形成しなくてもよい。たとえば、前面シート１１に別のシートの一部を、前面シート１１の上端に沿って接着することによって蓋部１２を設けてもよい。こうした構成であっても、上記（１）〜（３）、（５）の効果を奏することができる。
【００３１】
・蓋部１２を設けずに袋状の包装袋を構成することもできる。この場合、前面シート１１と背面シート１３とを、同じ大きさの長方形状に形成してもよい。こうした構成であっても、上記（１）〜（３）の効果を奏することができる。
【００３２】
・開閉部として樹脂製のジッパー３１，３２を採用したが、開閉部はこれに限定されない。たとえば、再封止可能なシールによって開閉部を構成してもよい。こうした構成においては、前面シート１１と背面シート１３とが開口１８において接着されることによって、包装袋を封止することができる。
【００３３】
・仕切りシート２１，２２の上下方向の長さは、仕切りシート２１と仕切りシート２２とが互いに密着することによって包装袋の開口１８を閉塞することができる長さであればよい。また、仕切りシート２１と仕切りシート２２とが同じ大きさに形成されていなくてもよい。
【００３４】
・前面シート１１と背面シート１３とによって形成される袋状の上端部と、仕切りシート２１，２２の上縁との間にジッパー３１，３２が配設されていればよい。たとえば、仕切りシート２１，２２の上縁がジッパー３１，３２と隣接するように仕切りシート２１，２２を融着してもよい。
【００３５】
・前面シート１１と背面シート１３とは異なる２枚のシートとしたが、１枚のシートを折って重ねたものであってもよい。たとえば、シートを折り返した部分を包装袋の下端とすれば、上記実施形態と同様に左右の側縁を左融着部１５及び右融着部１６において互いに融着することによって、上端部が開口した袋状とすることができる。なお、このような構成における包装袋の下端は、上記実施形態と同様に下融着部１７においてシート同士を融着してもよい。下融着部１７における融着を行わなくてもよい。
【００３６】
・仕切りシート２１，２２の幅を前面シート１１及び背面シート１３の幅よりも小さく構成してもよい。この場合、前面シート１１と背面シート１３とが融着されている位置と、各仕切りシート２１，２２がそれぞれ前面シート１１、背面シート１３に融着されている位置とが包装袋の幅方向において互いに異なる位置となるようにすることも可能である。
【００３７】
・上記実施形態において、シート等を接着するための融着は、接着対象を溶融させて溶着させるものであればよい。たとえば、熱融着によって行うことが考えられる。また、こうした接着は融着に限らない。たとえば、粘着性を有するシールによって接着してもよい。
【００３８】
上記記載から把握できる技術的思想を列挙する。
・前記前面シートと前記背面シートは、１枚のシートが折り重ねられて構成されている包装袋。
【００３９】
・前記前面シートと前記背面シートは、異なる２枚のシートによって構成されている包装袋。
・前記開閉部は、樹脂製のジッパーである包装袋。
【符号の説明】
【００４０】
１１…前面シート、１２…蓋部、１３…背面シート、１４…接着テープ、１５…左融着部、１６…右融着部、１７…下融着部、１８…開口、２１，２２…仕切りシート、３１，３２…ジッパー、Ａ…空間。
【図１】
2017047955.tif 000003
【図２】
2017047955.tif 000004
【図３】
2017047955.tif 000005